(57)【要約】【課題】  緊急災害時に着用して救出を求めることが出来る眼鏡の提供。【解決手段】  眼鏡フレームはオール樹脂製とし、フロント部１の両側に樹脂製のツル２，２を折畳み出来るように取付け、該ツル２は端部の内側から延びた継手片を有し、該継手片の先端をフロント部に連結し、ツル２，２が開いた状態ではツル端部とフロント部１との間には隙間を形成し、そして、フロント正面、又はツル外表面には光が当たることで反射する反射部品を取付けている。【選択図】    図１
0003191055.tif 000002
【実用新案登録請求の範囲】
【請求項１】
緊急災害時、又は不時の露営時に着用して救出を求めることが出来る眼鏡において、眼鏡フレームはオール樹脂製とし、フロント部の両側に樹脂製のツルを折畳み出来るように取付け、該ツルは端部の内側から延びた継手片を有し、該継手片の先端をフロント部に連結した構造とし、ツルが開いた状態ではツル端部とフロント部との間には隙間を形成し、そして、フロント正面、又はツル外表面には光が当たることで反射する反射部品を取付けたことを特徴とする緊急災害時用眼鏡。
【請求項２】
上記継手片の先端を切欠いて２本のアームを形成し、各々のアーム先端に凸部を突出し、フロント部には該アームが嵌入する空間を設け、該空間の上面と下面に上記凸部が嵌る軸受け穴を形成した請求項１記載の緊急災害時用眼鏡。
【請求項３】
上記継手片の先端を切欠いて２本のアームを形成し、各々のアーム先端に軸受け穴を形成し、フロント部には該アームが嵌入する空間を設け、該空間の上面と下面に上記軸受け穴に嵌る凸部を形成した請求項１記載の緊急災害時用眼鏡。
【考案の詳細な説明】
【技術分野】
【０００１】
本考案は緊急災害時、又は不時の露営時に着用するためのオール樹脂製の眼鏡に関するものである。
【背景技術】
【０００２】
近年、大きな災害が発生して多くの人の命が失われるケースが多い。例えば大きな地震によって家が倒壊し、その下敷きになって亡くなる場合、また大雨による土砂崩れが発生し、この土砂崩れにて家が押し流されて倒壊する場合も多い。倒壊した家の下敷きになる場合、直ちに命を落とすこともあるが、身体の一部が挟まって自力で脱出出来ないことが多い。
【０００３】
災害時には多くの救助隊が倒壊した家の下敷きになっている人を救出するための行動をとるが、探し出すことは容易でなく、所定の時間が過ぎて亡くなるケースが多い。倒壊した家の隙間に挟まれている場合、昼中であっても光が当たらない為に暗くて分かり難く、まして夜ともなれば全く見通しがつかない。
【０００４】
例えば、蛍光塗料を塗布した衣類を着用することで、倒壊した家の隙間に閉じ込められた場合に衣類が光を放つことで救助隊にその場所が認識されて救助される。しかし、蛍光塗料が発光する時間は限られ、何日も経過すると発光する機能は失われる。また、常日頃、蛍光塗料を塗布した災害用の衣類を着用していることは出来ない。
【０００５】
特開平９−２７４４５７号に係る「耐久長蓄光安全視認器具」は、各種使用条件下於いても短時間で蓄光し、長時間の放光性を有するもので、安全ベスト・汎用衣類等である。そこで、ストロンチュームアルミネート系長時間放光性蓄光顔料を徴微分化し、低温溶融ガラスで事前に被覆保護して耐久長蓄光顔料を作製し、この顔料を耐久性締結材と混練りして各種機具を作製する。
【特許文献１】特開平９−２７４４５７号に係る「耐久長蓄光安全視認器具」
【考案の開示】
【考案が解決しようとする課題】
【０００６】
このように、衣類には夜間に蛍光を発することで、自分の居場所を認識させるようにしたものは知られている。眼鏡であっても、同じようにその表面に蛍光物質を取付けることは可能であり、該眼鏡を着用することで明りを放つことが出来る。しかし、明りの無い夜間に眼鏡が光ることは、薄気味悪い感を与える。
本考案が解決しようとする課題は、この問題点であり、外からの光が当たった際に反射する反射板（反射部品）を取付け、しかも災害時に怪我しないようにオール樹脂製とした眼鏡を提供する。
【課題を解決するための手段】
【０００７】
本考案に係る眼鏡は、主として緊急災害時用の眼鏡であるが、その着用は常日頃掛けることが出来るように構成している。又は、ハードケースに入れておき、緊急災害時には即座に着用できるように準備しておくことも可能である。
ところで、眼鏡フレームはオール樹脂製とし、ツルを折畳みする継手にはネジを用いないで構成している。そして、ツルは眼鏡を顔に掛けた際に該ツルは顔の側面を押圧するように作用する。すなわち、従来のバネ蝶番と同じように機能する構造としている。
【０００８】
フロント部のリムに嵌るレンズに関しては特に限定はせず、ハードコートレンズを使用したり、曇り止め処理を施したレンズであったり、又は眼科医の処方箋通りのレンズを使うこともある。そして、該眼鏡はハードケースに収容されて安全に持ち運び可能とし、店頭では該ケースに収容した状態で展示することが出来るように、ケースを構成している。
【考案の効果】
【０００９】
本考案に係る眼鏡は、一般的な眼鏡と同じく常時掛けることは出来るが、緊急災害時用として効果がある。すなわち、フレームの表面には反射板が取付けられ、例えば倒壊した家の隙間に閉じ込められた場合、救助隊が照らすライトの明りを反射することで、その場所が認識されて、助け出される。
また、眼鏡のフレームはオール樹脂製であり、そしてツルを連結する継手は金属製のネジを有しておらず、その為に災害時に着用した眼鏡にて顔がキズ付くことはない。さらに、ツルはバネ蝶番として機能するために、着用した眼鏡は顔にフイットして位置ズレすることなく安定する。
【図面の簡単な説明】
【００１０】
【図１】本考案に係る緊急災害時用眼鏡を示す実施例で、（ａ）は平面図、（ｂ）正面図。
【図２】本考案に係る緊急災害時用眼鏡を示す実施例で、側面図を示す。
【図３】ツル端部に設けた継手片。
【図４】継手片の両アーム先端に設けた凸部が軸受け穴に嵌った場合。
【図５】フロント部の正面両側に反射部品を取付けた実施例。
【図６】フロント部の正面両側に反射部品を取付けた実施例。
【図７】ツル端部の外側面に反射部品を取付けた実施例。
【図８】フロント部両側とツル端部の外側面に反射部品と取付けた実施例。
【図９】ツル端部の外側面に反射部品を取付けた実施例。
【考案を実施するための形態】
【００１１】
図１は本考案に係る眼鏡の実施例であり、平面図と正面図を示している。同図に示す１はフロント部、２，２はツルを表し、眼鏡のフレームはオール樹脂製としている。フロント部１は両リム３，３が連結部４を中心として左右対称を成し、リム３，３にはレンズ５，５が嵌っている。オール樹脂製のフロント部１は両リム３，３と連結部４は一体成形され、このフロント部１の両側にツル２，２が折畳み出来るように連結している。
【００１２】
そして、図２に示すようにツル２，２もオール樹脂製であって、従来のような金属製の蝶番を用いていない。ツル２，２はフロント部側内側から延びる継手片６，６を設け、この継手片６，６の先端に軸と成る凸部を形成している。そして、ツル２，２は図１（ａ）のように開いた状態ではフロント部１との間に隙間７，７を設け、該隙間７，７がゼロになるまでツル２，２を外方向へ押し開くことが出来る。
【００１３】
この場合、上記継手片６，６は撓み変形してツル２，２は外方向へ押し開かれるが、メガネを掛けた場合には継手片６，６の弾性回復によって、ツル２，２は顔の側面に適度な押圧力が作用する。すなわち、従来のバネ蝶番と同じような機能を呈し、着用したメガネは位置ズレすることなく安定する。
【００１４】
図３はツル端部を示す拡大図であるが、継手片６の先端は二股に分かれた２本のアーム８ａ，８ｂを有し、このアーム先端に上記凸部９ａ，９ｂを上方及び下方へ突出している。この凸部９ａ，９ｂは半球体とし、表面は滑らかな曲面と成っている。両アーム８ａ，８ｂの間には切欠き部１０を有し、そのために、アーム８ａ，８ｂは内側へ撓み変形することが出来る。
【００１５】
図４はこの凸部９ａ，９ｂがフロント部１の両側に設けた軸受け穴１１ａ，１１ｂに嵌った場合を示している。フロント部１の側部には両アーム先端が嵌入する空間１２を有し、この空間１２の上面１３及び下面１４に軸受け穴１１ａ，１１ｂを設けている。したがって、上記両アーム８ａ，８ｂを摘んで圧縮（上下から押圧）した状態で両軸受け穴１１ａ，１１ｂにアーム先端凸部９ａ，９ｂを嵌合することが出来る。
【００１６】
該凸部９ａ，９ｂは両アーム８ａ，８ｂの弾性復元によって軸受け穴１１ａ，１１ｂに嵌合し、ツル２，２はこの凸部９ａ，９ｂを中心として旋回して折畳むことが出来る。一方、上記空間１２の上面１３と下面１４に凸部を設け、継手片６の両アーム８ａ，８ｂには軸受け穴を形成することも出来る。
【００１７】
ここで、継手片６、及び両アーム８ａ，８ｂ、並びに凸部９ａ，９ｂはツル２と共に一体成形することが出来る。このように、本考案のフレームはオール樹脂製とすることで、災害時に物体が眼鏡に当たってもケガすることは少ない。特に、樹脂フレームは各部材が太いために、物体に当たった衝撃が顔面に作用する面圧は軽減され、特に金属部品でないことでより安全性は確保される。
【００１８】
一方、本考案の眼鏡には反射板（反射部品）を取付けている。ここで、反射部品とは光が当たることで、この光が反射することが出来るもので、具体的な構成は限定しないことにする。
図５はフロント部１の正面両側に反射部品１５，１５・・・を取付けた実施例である。該反射部品１５は小さい円形で片側に２個づつ設けている。
【００１９】
ここで、反射部品１５の具体的な構成として、例えば、特開２０１４−４７３４３号に係る「樹脂組成物および光反射部品用成形体」を使用することが出来る。これは低比重で、耐熱性と流動性とのバランスに優れ、アルミ蒸着後の成形体表面の白斑が極めて少なくアルミ蒸着外観にも優れ、滞留成形安定性にも優れたものである。
【００２０】
すなわち、光反射成形体の樹脂組成物は、ポリフェニレンエーテル（Ａ）６０〜９５質量％と、アクリロニトリル（ＡＮ）含有量１６〜４５質量％のスチレン−アクリロニトリル樹脂（ＡＳ樹脂）（Ｂ）１５〜１質量％と、アクリロニトリル（ＡＮ）含有量５〜１１質量％のスチレン−アクリロニトリル樹脂（ＡＳ樹脂）（Ｃ）３９〜３質量％とを含有している。
【００２１】
図６はフロント部１の正面両側にひし形をした反射部品１６，１６を取付けた実施例である。図７はツル２の端部に文字「Ｇ」を形成した反射部品１７を取付けた具体例である。図８はフロント部１の側端部であるヨロイ部１８の外側面に３個の円形反射部品１９，１９・・・を取付け、またツル２の端部表面にも３個の円形反射部品１９，１９・・・を設けている。さらに、図９はツル２の端部に帯状の反射部品２０ａ，２０ｂを取付けている。
【００２２】
ただし、上記図５〜図９に示した実施例はあくまでの具体例に過ぎず、フロント部１及びツル２の如何なる箇所に反射部品を取付けでも構わない。このように、眼鏡に反射部品を取付けることで、外からの光が当たるならば、この光は反射して認識することが出来る。したがって、災害によって家が倒壊し、その下敷きに成って身動きが出来ない状態にある場合、救助隊が使うライトの明りが反射することで、人の存在が確認される。蛍光部品に比較して光を反射する機能に優れている。
【符号の説明】
【００２３】
１   フロント部
２   ツル
３   リム
４   連結部
５   レンズ
６   継手片
７   隙間
８   アーム
９   凸部
10   切欠き部
11   軸受け穴
12   空間
13   上面
14   下面
15   反射部品
16   反射部品
17   反射部品
18   ヨロイ部
19   反射部品
20   反射部品
【図１】
0003191055.tif 000003
【図２】
0003191055.tif 000004
【図３】
0003191055.tif 000005
【図４】
0003191055.tif 000006
【図５】
0003191055.tif 000007
【図６】
0003191055.tif 000008
【図７】
0003191055.tif 000009
【図８】
0003191055.tif 000010
【図９】
0003191055.tif 000011